(57)【特許請求の範囲】
【請求項１】
軸方向に沿った変位が規制された状態でトリガが設けられたブランクに対して、ベイトリールが載置されるリールシート本体並びに当該ベイトリールの脚を挟持する固定フード及び可動フードを有するリールシートが支持される構造であって、
上記ブランクにベースが固定されており、
上記リールシート本体は、上記ブランクの軸方向を中心とする回転が規制され且つ当該軸方向に沿ってスライド可能な状態で上記ベースに設けられており、
上記軸方向に沿う変位が規制され且つ当該軸方向を中心として回転可能な状態で上記ベースに設けられ、回転されることにより上記リールシート本体を上記軸方向にスライドさせるスライド調整部材が上記リールシート本体と螺合しているリールシート支持構造。
【請求項２】
釣竿本体を構成するブランクと、
当該ブランクに固定されたベースと、
上記ブランクに対して軸方向に沿った変位が規制された状態で設けられたトリガと、
上記ブランクの軸方向を中心とする回転が規制され且つ当該軸方向に沿ってスライド可能な状態で上記ベースに設けられ、ベイトリールが載置されるリールシート本体並びに上記ベイトリールの脚を挟持する固定フード及び可動フードを有するリールシートと、
上記軸方向に沿う変位が規制され且つ当該軸方向を中心として回転可能な状態で上記ベースに設けられると共に、回転されることにより上記リールシート本体を上記軸方向にスライドさせるように当該リールシート本体と螺合したスライド調整部材とを備えた釣竿。
【請求項３】
上記ベースは、上記ブランクに外嵌された円筒部材からなり、
上記スライド調整部材は、上記リールシート本体の外面に螺合されたナットからなる請求項２に記載の釣竿。
【請求項４】
上記トリガは、
上記ブランクを基準に上記固定フードの反対側に配置されたトリガ本体と、
当該トリガ本体を支持し、上記スライド調整部材と連結する連結部材とを有し、
当該連結部材は、上記軸方向を中心として回転可能且つ上記軸方向に沿う変位が規制された状態で上記スライド調整部材に設けられている請求項２又は３に記載の釣竿。
【発明の詳細な説明】
【技術分野】
【０００１】
この発明は、釣竿の構造、特にリールシートの支持構造に関するものである。
【背景技術】
【０００２】
たとえばバスフィッシングのように、ベイトリールが釣竿に装着され、釣人がキャストしたルアー（疑似餌）にターゲット（対象魚）のバイトを誘う釣りでは、釣人にとってルアーを正確にキャストすることは重要である。そのため、一般に釣竿のリールシート部分にはトリガが設けられており、釣人は、トリガに指を掛けつつ釣竿及びベイトリールを把持、操作してルアーをキャストする。
【０００３】
特にバスフィッシング競技では、釣人は競技中に数千回に及ぶキャスティングを行う。そのため、釣人にとってトリガの位置が自己の手に合致するものでなければ、パフォーマンスを発揮することができない。したがって、釣人にとってトリガの位置（釣人の手に対する相対的位置）は、上級者ほど常に正確なキャストを行うために重要な概念である。
【０００４】
釣人の好みに合わせてトリガの相対的位置を変更する機構は、従来から提案されている（たとえば、特許文献１参照）。同文献に開示された機構は、トリガを釣竿本体に対してスライドさせるものである。これにより、釣人は、トリガを所望の位置にセットすることができる。
【先行技術文献】
【特許文献】
【０００５】
【特許文献１】特許第３７７８５３３号公報
【発明の概要】
【発明が解決しようとする課題】
【０００６】
従来の機構は、トリガの位置を釣人の手に対して調整することができるが、このことは同時に、トリガの位置が竿尻ないしグリップ後端に対しても変化することを意味する。つまり、トリガの位置が調整されると、当該トリガと竿尻との間の距離も変化してしまい、その結果、釣人にとって釣竿の操作フィーリングが変わってしまうという問題が生じる。
【０００７】
本発明はかかる背景のもとになされたものであって、その目的は、釣竿の操作フィーリングが損なわれることなく、ルアーを正確にキャストするためにトリガの位置を相対的に調整することができる釣竿並びにこれに適用されるリールシートの支持構造を提供することである。
【課題を解決するための手段】
【０００８】
本願発明者は、上記目的が達成されるためには、竿尻とトリガとの間の距離を不変としつつトリガの相対的位置（釣人の手に対するトリガの位置）が調整されなければならず、そのためには、トリガに対してベイトリールの位置が調整されるべきであるとの知見を得た。
【０００９】
(1) 本発明に係るリールシート支持構造は、軸方向に沿った変位が規制された状態でトリガが設けられたブランクに対して、ベイトリールが載置されるリールシート本体並びに当該ベイトリールの脚を挟持する固定フード及び可動フードを有するリールシートが支持される構造である。この構造では、上記ブランクにベースが固定されており、上記リールシート本体は、上記ブランクの軸方向を中心とする回転が規制され且つ当該軸方向に沿ってスライド可能な状態で上記ベースに設けられている。さらに、上記軸方向に沿う変位が規制され且つ当該軸方向を中心として回転可能な状態で上記ベースに設けられ、回転されることにより上記リールシート本体を上記軸方向にスライドさせるスライド調整部材が上記リールシート本体と螺合している。
【００１０】
この構造によれば、リールシート本体は、ブランクに固定されたベースに取り付けられており、当該ベースに対してブランクの軸方向に沿ってスライド可能である。そして、ベースとリールシート本体との間にスライド調整部材が介在されており、このスライド調整部材は、リールシート本体と螺合している。したがって、スライド調整部材が回転されると、リールシート本体は、ブランクに対して軸方向に相対的に移動する。つまり、リールシートがブランクに対して軸方向にスライドし、位置調整がなされる。
【００１１】
(2) 本発明に係る釣竿は、釣竿本体を構成するブランクと、当該ブランクに固定されたベースと、上記ブランクに対して軸方向に沿った変位が規制された状態で設けられたトリガと、上記ブランクの軸方向を中心とする回転が規制され且つ当該軸方向に沿ってスライド可能な状態で上記ベースに設けられ、ベイトリールが載置されるリールシート本体並びに上記ベイトリールの脚を挟持する固定フード及び可動フードを有するリールシートと、上記軸方向に沿う変位が規制され且つ当該軸方向を中心として回転可能な状態で上記ベースに設けられると共に、回転されることにより上記リールシート本体を上記軸方向にスライドさせるように当該リールシート本体と螺合したスライド調整部材とを備える。
【００１２】
この構成によれば、リールシート本体にベイトリールが載置され、このベイトリールの脚の一方及び他方がそれぞれ固定フード及び可動フードに挿入される。可動フードが固定フードと協働して上記脚を挟み込むことにより、ベイトリールは、リールシート上に固定される。リールシート本体は、ブランクに固定されたベースに取り付けられており、当該ベースに対してブランクの軸方向に沿ってスライド可能である。そして、ベースとリールシート本体との間にスライド調整部材が介在されており、このスライド調整部材は、リールシート本体と螺合している。したがって、スライド調整部材が回転されると、リールシート本体は、ブランクに対して軸方向に相対的に移動する。つまり、リールシートがブランクに対して軸方向にスライドし、位置調整がなされる。このとき、上記トリガのブランクに対する位置は不変である。
【００１３】
(3) 上記ベースは、上記ブランクに外嵌された円筒部材からなり、上記スライド調整部材は、上記リールシート本体の外面に螺合されたナットからなるのが好ましい。
【００１４】
この構成では、上記ブランクは上記ベースに嵌め込まれるだけで簡単且つ確実に固定される。また、スライド調整部材は円筒状の簡単な形状となる。したがって、リールシート支持機構の構造が簡素化され、製造コストが低減される。
【００１５】
(4) 上記トリガは、上記ブランクを基準に上記固定フードの反対側に配置されたトリガ本体と、当該トリガ本体を支持し、上記スライド調整部材と連結する連結部材とを有し、当該連結部材は、上記軸方向を中心として回転可能且つ上記軸方向に沿う変位が規制された状態で上記スライド調整部材に設けられているのが好ましい。
【００１６】
この構成によれば、トリガは、上記スライド調整部材に連結部材を介して取り付けられている。このスライド調整部材は、ブランクに対する位置が不変であるから、トリガも常にブランクに対しては不動である。
【発明の効果】
【００１７】
この発明によれば、釣人は、スライド調整部材を操作することによってリールシートをブランクに対して軸方向にスライドさせることができる。すなわち、釣人は、リールシートの位置を調整することにより、ブランクに対するトリガの位置を変更することなく、実質的にトリガの位置を自己の手に対して最適な位置に調整することができる。したがって、釣竿の操作フィーリングが損なわれることなく、釣人は、ルアーを正確にキャストすることができる。
【図面の簡単な説明】
【００１８】
【図１】図１は、釣竿１０の外観斜視図である。
【図２】図２は、ベイトリール１７の外観斜視図である。
【図３】図３は、釣竿１０の分解斜視図である。
【図４】図４は、釣竿１０の縦断面図である。
【図５】図５は、分解された釣竿１０の縦断面図である。
【図６】図６は、図１よりもリールシート１４が穂先側に移動した状態の釣竿１０の外観斜視図である。
【発明を実施するための形態】
【００１９】
以下、本発明の好ましい実施形態が、適宜図面が参照されながら説明される。なお、本実施の形態は、本発明に係る釣竿の一態様にすぎず、本発明の要旨を変更しない範囲で実施態様が変更されてもよいことは言うまでもない。
【００２０】
［構成］
【００２１】
図１は、釣竿１０の外観斜視図である。図２は、ベイトリール１７の外観斜視図である。図３は、釣竿１０の分解斜視図である。図４は、釣竿１０の縦断面図である。図５は、分解された釣竿１０の縦断面図である。図６は、図１よりもリールシート１４が穂先側に移動した状態の釣竿１０の外観斜視図である。
【００２２】
なお、各図において、釣竿１０の穂先側の図示は省略されており、釣竿１０の竿元側のみが図示されている。つまり、釣竿１０の穂先から竿元に亘るブランク１１は、竿元側の部分のみ図示されている一方、釣竿１０の竿元側に設けられるベース１２と、グリップ１３と、リールシート１４と、トリガ１５と、スライド調整部材１６とは、全ての部分が図示されている。
【００２３】
図１及び図３が示すように、釣竿１０は、ブランク１１と、ベース１２と、グリップ１３と、リールシート１４と、トリガ１５と、スライド調整部材１６とを備えている。
【００２４】
ブランク１１は、釣竿本体を構成するものである。ブランク１１は、全体として円筒状に形成されている。ブランク１１は、穂先側が竿元側よりも細いテーパ状である。ブランク１１は、炭素繊維強化プラスチックやガラス繊維強化プラスチックなどで形成されている。ブランク１１は、公知の方法によって、例えばカーボン繊維に熱硬化性樹脂を含侵させたシート（カーボンプリプレグ）を螺旋状に巻回して焼成することによって製造することができる。
【００２５】
ガイド部材（不図示）が、ブランク１１に設けられている。ガイド部材は、ブランク１１の軸方向５０に沿って間隔を空けて複数設けられている。各ガイド部材は、リールシート１４に装着されたベイトリール１７（図２参照）から繰り出される釣糸（不図示）が挿通される挿通孔を有する。各ガイド部材は、釣糸をブランク１１に沿って軸方向５０に案内するためのものである。すなわち、釣竿１０は、所謂アウターガイドタイプの釣竿である。なお、釣竿１０は、ブランク１１の内部空間４７（図５参照）に釣糸を通す所謂インナーガイドタイプの釣竿であってもよい。
【００２６】
図３が示すように、ベース１２は、全体として円筒状に形成されている。ベース１２は、典型的には樹脂を押出成形や射出成形することで得られる。なお、ベース１２は、樹脂以外の素材、例えば金属で構成されていてもよい。図４が示すように、ベース１２の軸方向５０の長さは、ブランク１１よりも短い。ベース１２の軸方向５０の長さは、グリップ１３、リールシート１４、トリガ１５、及びスライド調整部材１６の軸方向５０の長さの合計と概ね同一である。
【００２７】
図３が示すように、ベース１２の外周面に、キー溝３３が形成されている。キー溝３３は、ベース１２の竿元側の端部から穂先側の端部に亘って軸方向５０に沿って延びている。キー溝３３は、ベース１２の径方向において対向する２箇所に形成されている。後述のように、リールシート１４に設けられたキー３４（図３参照）がキー溝３３と嵌合するようになっている。
【００２８】
図４が示すように、ベース１２の内部空間４８（図５参照）に、ブランク１１が挿入される。つまり、ベース１２は、ブランク１１に外嵌されている。これにより、ベース１２は、ブランク１１に装着される。ベース１２は、ブランク１１の竿元側の端部に装着される。ブランク１１の竿元側の端部の外径は、ベース１２の内径に対応している。このため、ベース１２は、がたつくことなくブランク１１に装着される。つまり、ベース１２は、ブランク１１に固定されている。なお、ベース１２とブランク１１とは、接着剤などで接着されていてもよい。
【００２９】
図１及び図３が示すように、グリップ１３は、全体として円筒状に形成されている。グリップ１３は、竿元に近い程に太いテーパ状であるが、テーパ状でなくてもよい。グリップ１３は、典型的には樹脂を押出成形や射出成形することで得られる弾性体である。弾性体は、例えば、ウレタンゴムなどのゴムやスチレンブロック共重合体などである。
【００３０】
図４が示すように、グリップ１３の内部空間４９（図５参照）に、ベース１２が挿入される。つまり、グリップ１３は、ベース１２の竿元側の部分に外嵌されている。これにより、グリップ１３は、ベース１２に装着される。ベース１２の外径は、グリップ１３の内径に対応している。このため、グリップ１３は、がたつくことなくベース１２に装着される。なお、グリップ１３とベース１２とは、接着剤などで接着されていてもよい。なお、グリップ１３がベース１２に装着された状態において、グリップ１３の竿元側の端は、蓋１８によって閉塞されている。
【００３１】
図１及び図３〜図５に示されるリールシート１４は、典型的には樹脂からなる。なお、リールシート１４は、アルミニウム合金その他の金属や木材で構成されていてもよい。リールシート１４は、リールシート本体２１と、固定フード２２と、可動フード２３と、回転部材３１とを備えている。
【００３２】
図３及び図４が示すように、リールシート本体２１は、平面であるシート面２４を有する平板部５２と、円筒部２０と、固定フード２２とが一体に成形されたものである。図２に示されるベイトリール１７の脚１９が、シート面２４に載置される。
【００３３】
図５が示すように、円筒部２０は、リールシート本体２１におけるシート面２４の裏面側に設けられている。
【００３４】
図４が示すように、円筒部２０は、グリップ１３よりも穂先側において、ベース１２に外嵌されている。つまり、円筒部２０の内部空間５１（図５参照）に、ベース１２が挿入される。円筒部２０の内径は、ベース１２の外径よりも大きい。このため、リールシート本体２１は、軸方向５０に沿ってベース１２に対して相対的に変位可能である。つまり、リールシート本体２１は、軸方向５０に沿ってスライド可能な状態でベース１２に設けられている。すなわち、リールシート１４は、ベース１２を介してブランク１１に支持されている。
【００３５】
図３が示すように、円筒部２０の内周面に、キー３４が形成されている。キー３４は、円筒部２０の竿元側の端部から穂先側の端部に亘って軸方向５０に沿って延びている。キー３４は、円筒部２０の径方向において対向する２箇所に形成されている。
【００３６】
円筒部２０の内部空間５１（図５参照）にベース１２が挿入される際、キー３４がベース１２のキー溝３３に挿入される。これにより、円筒部２０のベース１２に対する回転が規制される。つまり、リールシート１４は、軸方向５０を中心とする回転が規制された状態でベース１２に設けられている。
【００３７】
図３及び図５が示すように、円筒部２０の竿元側の端部に、雄ネジ２７が形成されている。円筒部２０の穂先側の端部に、雄ネジ２８が形成されている。平板部５２及び固定フード２２は、雄ネジ２７と雄ネジ２８との間に配置されている。
【００３８】
図３が示すように、円筒部２０の外周面に、溝２９及び溝３０が形成されている。溝２９は、円筒部２０の竿元側の端部から穂先側へ向けて軸方向５０に沿って延びている。溝２９は、円筒部２０の径方向において対向する２箇所に形成されている。溝３０は、円筒部２０の穂先側の端部から竿元側へ向けて軸方向５０に沿って延びている。溝３０は、円筒部２０の径方向において対向する２箇所に形成されている。溝３０の竿元側の端は、溝２９の穂先側の端よりも穂先側に位置している。
【００３９】
図１が示すように、リールシート本体２１の平板部５２のシート面２４の竿元側の端部に、固定フード２２が形成されている。固定フード２２は、リールシート本体２１と一体成形されている。図１及び図３が示すように、固定フード２２とシート面２４との間に、隙間２５が形成されている。
【００４０】
可動フード２３は、全体として円筒状に形成されている。図３が示すように、可動フード２３の内周面に、キー３２が形成されている。キー３２は、可動フード２３の竿元側の端部から穂先側の端部に亘って軸方向５０に沿って延びている。キー３２は、可動フード２３の径方向において対向する２箇所に形成されている。
【００４１】
可動フード２３は、円筒形状の回転部材３１に連結されている。可動フード２３は、回転部材３１に対し、軸方向５０に沿った変位が規制されている一方で回転可能である。詳細には、図５が示すように、可動フード２３の軸方向５０の端部に、可動フード２３の外周面に沿ったフランジ３９が形成されている一方で、回転部材３１の内周面に沿って環状の溝４０が形成されており、フランジ３９が溝４０に挿入されている。
【００４２】
回転部材３１の内周面に、雄ネジ２８に対応する雌ネジ４１が形成されている。
【００４３】
可動フード２３及び回転部材３１の内径は、円筒部２０の外径よりも大きい。これにより、可動フード２３及び回転部材３１は、円筒部２０の穂先側の端部において、円筒部２０に外嵌可能である。
【００４４】
可動フード２３及び回転部材３１は、穂先側から円筒部２０に挿入される。このとき、キー３２が溝３０（図３参照）に挿入される。このとき、溝３０は、キー３２が嵌合するキー溝として機能する。これにより、可動フード２３の円筒部２０に対する回転が規制される。回転部材３１が円筒部２０に嵌め込まれる。回転部材３１に雌ネジ４１が形成され、円筒部２０に雄ネジ２８が形成されており、両者が螺合する。回転部材３１がねじ込まれると、可動フード２３及び回転部材３１が円筒部２０に対して相対的に竿元側に移動される。これにより、可動フード２３及び回転部材３１は、軸方向５０に沿って変位可能に円筒部２０によって支持される。
【００４５】
図２に示されるベイトリール１７は、図１に示されるリールシート１４に装着される。具体的には、ベイトリール１７の脚１９が、リールシート本体２１のシート面２４上に載置され、脚１９の一方側が固定フード２２とシート面２４との間に形成された隙間２５に挿入される。そして、固定フード２２に対して可動フード２３が軸方向５０に沿って変位されることによって、脚１９の他方側が可動フード２３とシート面２４との間に形成された隙間２６に挿入される。つまり、脚１９が固定フード２２及び可動フード２３によって挟持されることにより、ベイトリール１７がリールシート本体２１に固定された状態で載置される。
【００４６】
図１及び図３〜図５に示されるトリガ１５は、リールシート１４と同様に、典型的には樹脂からなるが、金属や木材で構成されていてもよい。トリガ１５は、トリガ本体３５と、連結部材３６とを有している。
【００４７】
図４が示すように、トリガ本体３５は、ブランク１１を基準に固定フード２２の反対側に配置されている。換言すると、ブランク１１を挟んで、ブランク１１の径方向の一方側に固定フード２２が設けられており、ブランク１１の径方向の他方側にトリガ本体３５が設けられている。トリガ本体３５は、連結部材３６からブランク１１の径方向に突出されており、釣人の指が掛けられる。
【００４８】
図３及び図５が示すように、連結部材３６は、全体として円筒状に形成されているが、穂先側の端から竿元側へ切り欠かれた切り欠き３７を有している。切り欠き３７は、トリガ本体３５が設けられた側と反対側に形成されている。トリガ本体３５は、連結部材３６の外周面から突出されている。つまり、トリガ本体３５は、連結部材３６に懸架された状態である。
【００４９】
連結部材３６の内側に、リールシート１４の円筒部２０が挿入される。つまり、連結部材３６は、リールシート１４の円筒部２０に外嵌されている。連結部材３６の内径は、円筒部２０の外径よりも大きい。このため、リールシート１４は、軸方向５０に沿ってトリガ１５に対して相対的に変位可能である。図１が示すように、連結部材３６がリールシート１４に外嵌された状態において、リールシート本体２１のシート面２４は、切り欠き３７（図３及び図５参照）から露出している。
【００５０】
図３が示すように、連結部材３６の内周面に、キー３８が形成されている。キー３８は、連結部材３６の竿元側の端部から穂先側の端部に亘って軸方向５０に沿って延びている。キー３８は、連結部材３６の径方向において対向する２箇所に形成されている。連結部材３６の内側にリールシート１４の円筒部２０が挿入される際、キー３８が円筒部２０の溝２９に挿入される。これにより、トリガ１５のリールシート１４に対する回転が規制される。
【００５１】
図１及び図３〜図５に示されるスライド調整部材１６は、典型的には樹脂からなる。なお、スライド調整部材１６は、アルミニウム合金その他の金属や木材で構成されていてもよい。
【００５２】
図３及び図５が示すように、スライド調整部材１６は、全体として円筒状に形成されている。スライド調整部材１６の内径は、円筒部２０の竿元側の端部の外径よりも大きい。これにより、スライド調整部材１６には、円筒部２０が挿入可能である。
【００５３】
図１が示すように、スライド調整部材１６は、穂先側の端部において、トリガ１５に連結されている。スライド調整部材１６は、トリガ１５に対し、軸方向５０に沿った変位が規制されている一方で回転可能である。詳細には、図５が示すように、スライド調整部材１６の穂先側の端部に、スライド調整部材１６の外周面に沿ったフランジ４２が形成されている一方で、トリガ１５の連結部材３６における竿元側の端部の内周面に沿って環状の溝４３が形成されており、フランジ４２が溝４３に挿入されている。つまり、連結部材３６は、軸方向５０を中心として回転可能であって軸方向５０に沿う変位が規制された状態でスライド調整部材１６に設けられている。
【００５４】
また、図１が示すように、スライド調整部材１６は、竿元側の端部において、グリップ１３に連結されている。スライド調整部材１６は、グリップ１３に対し、軸方向５０に沿った変位が規制されている一方で回転可能である。詳細には、図５が示すように、スライド調整部材１６の竿元側の端部に、スライド調整部材１６の外周面に沿ったフランジ４４が形成されている一方で、グリップ１３の穂先側の端部の内周面に沿って環状の溝４５が形成されており、フランジ４４が溝４５に挿入されている。
【００５５】
図５が示すように、スライド調整部材１６の内周面の穂先側に、雄ネジ２７に対応する雌ネジ４６が形成されている。これにより、スライド調整部材１６は、以下に詳述するように、リールシート１４のリールシート本体２１の円筒部２０の外周に螺合可能である。
【００５６】
リールシート１４は、穂先側からトリガ１５に挿入される。このとき、キー３８が溝２９（図３参照）に挿入される。このとき、溝２９は、キー３８が嵌合するキー溝として機能する。これにより、リールシート１４のトリガ１５に対する回転が規制される。
【００５７】
リールシート１４は、トリガ１５よりも更に挿入奥側（竿元側）に位置するスライド調整部材１６に挿入される。リールシート１４に雄ネジ２７が形成され、スライド調整部材１６に雌ネジ４６が形成されており、両者が螺合する。スライド調整部材１６がねじ込まれると、リールシート１４がスライド調整部材１６及びトリガ１５に対して相対的に移動される。これにより、リールシート１４は、スライド調整部材１６が回転することによって、軸方向５０に沿ってスライド可能にスライド調整部材１６によって支持される。
【００５８】
上述したように、グリップ１３はベース１２に固定されており、ベース１２はブランク１１に固定されている。また、スライド調整部材１６は、軸方向５０に沿った変位が規制された状態でグリップ１３に連結されている。また、トリガ１５は、軸方向５０に沿った変位が規制された状態でスライド調整部材１６に連結されている。以上より、スライド調整部材１６及びトリガ１５は、ブランク１１及びベース１２に対して軸方向５０に沿った変位を規制されている。
【００５９】
また、上述したように、リールシート１４のベース１２に対する回転が規制されており、トリガ１５のリールシート１４に対する回転が規制されている。よって、ベース１２に固定されたグリップ１３、並びにリールシート１４及びトリガ１５は、ブランク１１及びベース１２に対して回転しない。一方、スライド調整部材１６は、ブランク１１及びベース１２に対して回転可能である。
【００６０】
以上より、スライド調整部材１６が回転することによって、リールシート１４は、スライド調整部材１６並びにブランク１１、ベース１２、グリップ１３、及びトリガ１５に対して、軸方向５０に沿ってスライドする。詳細には、図１が示す状態において、スライド調整部材１６が矢印５３の方向または矢印５４の方向の一方の方向に回転されると、リールシート１４は穂先側へ向かってスライドして、図６が示す状態となる。一方、図６が示す状態において、スライド調整部材１６が矢印５３の方向または矢印５４の方向（図１参照）の他方の方向に回転されると、リールシート１４は竿元側へ向かってスライドして、図１が示す状態となる。
【００６１】
なお、スライド調整部材１６の回転、及び当該回転に伴うリールシート１４のスライドが実行されるとき、トリガ１５は回転しない。そのため、リールシート１４がスライドしても、ブランク１１を挟んで、ブランク１１の径方向の一方側に固定フード２２が設けられ、ブランク１１の径方向の他方側にトリガ本体３５が設けられた状態が維持される。
【００６２】
［実施形態の効果］
【００６３】
上記実施形態によれば、リールシート本体２１にベイトリール１７が載置され、このベイトリール１７の脚１９の一方及び他方がそれぞれ固定フード２２及び可動フード２３に挿入される。可動フード２３が固定フード２２と協働して脚１９を挟み込むことにより、ベイトリール１７は、リールシート１４のシート面２４上に固定される。リールシート本体２１は、ブランク１１に固定されたベース１２に取り付けられており、ベース１２に対してブランク１１の軸方向５０に沿ってスライド可能である。そして、ベース１２とリールシート本体２１との間にスライド調整部材１６が介在されており、このスライド調整部材１６は、リールシート１４の円筒部２０と螺合している。したがって、スライド調整部材１６が回転されると、円筒部２０は、ブランク１１に対して軸方向５０に相対的に移動する。つまり、リールシート１４がブランク１１に対して軸方向５０にスライドし、位置調整がなされる。このとき、トリガ１５のブランク１１に対する位置は不変である。
【００６４】
また、上記実施形態によれば、トリガ１５は、スライド調整部材１６に連結部材３６を介して取り付けられている。このスライド調整部材１６は、ブランク１１に対する位置が不変であるから、トリガ１５も常にブランク１１に対しては不動である。
【００６５】
また、上記実施形態によれば、ブランク１１はベース１２に嵌め込まれるだけで簡単且つ確実に固定される。
【００６６】
［変形例］
【００６７】
上記実施形態では、図３が示すように、スライド調整部材１６は、軸方向５０に長い円筒状の部材であったが、図３が示すような形状に限らない。例えば、スライド調整部材１６は、図３よりも軸方向５０に短い形状であり、リールシート１４の円筒部２０の外面に螺合されたナットからなっていてもよい。
【００６８】
スライド調整部材１６がナットならなる構成では、スライド調整部材１６は円筒状の簡単な形状となる。したがって、リールシート支持機構の構造が簡素化され、製造コストが低減される。
【００６９】
上記実施形態では、キーやフランジが溝に挿入される構成が複数箇所において採用されているが、キー及びフランジと溝とは、それぞれ上記実施形態と逆の部材に形成されていてもよい。例えば、上記実施形態において、リールシート１４の円筒部２０にキー３４が形成され、キー３４が挿入されるキー溝３３がベース１２に形成されていたが、ベース１２にキーが形成され、当該キーが挿入されるキー溝がリールシート１４の円筒部２０に形成されていてもよい。
【００７０】
上記実施形態では、２つの部材が螺合される構成が複数箇所において採用されているが、雄ネジ及び雌ネジは、それぞれ上記実施形態と逆の部材に形成されていてもよい。例えば、上記実施形態において、リールシート１４の円筒部２０に雄ネジ２８が形成され、回転部材３１に雌ネジ４１が形成されていたが、回転部材３１に雄ネジが形成され、円筒部２０に雌ネジが形成されていてもよい。
【符号の説明】
【００７１】
１０・・・釣竿
１１・・・ブランク
１２・・・ベース
１４・・・リールシート
１５・・・トリガ
１６・・・スライド調整部材
１７・・・ベイトリール
１９・・・脚
２１・・・リールシート本体
２２・・・固定フード
２３・・・可動フード
３５・・・トリガ本体
３６・・・連結部材
５０・・・軸方向
【図１】
0006479593.tif 000002
【図２】
0006479593.tif 000003
【図３】
0006479593.tif 000004
【図４】
0006479593.tif 000005
【図５】
0006479593.tif 000006
【図６】
0006479593.tif 000007